(57)【特許請求の範囲】
【請求項１】
帽子本体のクラウン下縁外周面に設けた上端開口の収納部と、
前記上端開口の収納部の内部上端縁に下端を自由端として設けた返し片と、
前記クラウンの下端縁の内側面に当接した帯状の汗取り帯と、
を備え、
前記返し片と前記汗取り帯とが上下方向において一部重複する長さで形成されたことを特徴とする収納部付き帽子。
【請求項２】
前記上端開口の収納部をカバーリングするための環状帯体を前記帽子本体のクラウン下縁外周面に被覆自在に装着したことを特徴とする請求項１に記載の収納部付き帽子。
【請求項３】
前記上端開口の収納部は、上端開口の帯状の袋体に形成し、所定の幅員をもって複数の仕切壁を形成して収納部単体を隣接して設け、しかも前記収納部単体は、大きさを異なる形状とすることにより、収納物品の識別を指の触感で感知可能としたことを特徴とする請求項１又は請求項２に記載の収納部付き帽子。
【発明の詳細な説明】
【技術分野】
【０００１】
この発明は、帽子のつばの上方に多種類のコイン、紙幣または切符等を収納可能とした収納部付き帽子を提供するものである。
【背景技術】
【０００２】
従来、物品の収納を可能とした構造を有する帽子は多種存在する。例えば、特表平１０−５０１３１２には、帽子本体の後頭部対応部分に収納袋を形成して、チャックにより開閉自在としている。その他にも、帽子本体のクラウン側面部分や頂部等に、袋体を形成したもの等、各種形状が考えられる。
【先行技術文献】
【特許文献】
【０００３】
【特許文献１】特表平１０−５０１３１２号公報
【発明の概要】
【発明が解決しようとする課題】
【０００４】
しかし、帽子本体に物品を収納する際に、多種の物品を収納することのできる構造にすれば、勢い大がかりな構造としなければならず、帽子本体の着帽感触が損なわれたり、帽子機能に重量負荷がかかって使用しにくくなる等の欠点を有する。
【０００５】
この発明は、帽子本体の収納部に収納する物品を薄い物品に限定して、収納しやすく、かつ取り出しやすく、しかも、外観的にも帽子本体の美観を損なわないようにした収納部付き帽子を提供するものである。
【課題を解決するための手段】
【０００６】
（１）本発明の収納部付き帽子は、帽子本体のクラウン下縁外周面に設けた上端開口の収納部と、前記上端開口の収納部の内部上端縁に下端を自由端として設けた返し片と、前記クラウンの下端縁の内側面に当接した帯状の汗取り帯と、を備え、前記返し片と前記汗取り帯とが上下方向において一部重複する長さで形成されることとした。
【０００８】
（３）また、本発明の収納部付き帽子は、前記上端開口の収納部をカバーリングするための環状帯体を前記帽子本体のクラウン下縁外周面に被覆自在に装着することとした。
【０００９】
（４）また、本発明の収納部付き帽子は、前記上端開口の収納部は、上端開口の帯状の袋体に形成し、所定の幅員をもって複数の仕切壁を形成して収納部単体を隣接して設け、しかも前記収納部単体は、大きさを異なる形状とすることにより、収納物品の識別を指の触感で感知可能とした。
【発明の効果】
【００１０】
請求項１の発明によれば、帽子本体のクラウン下縁外周面に上端開口の収納部を設けたことにより、着帽したままで手を頭部に当てながら、クラウン下縁外周面の収納部から、簡単な操作手順で物品の出し入れが行える効果がある。また、帽子の外観を損なうこともなく、更には着帽時の違和感を無くする効果もある。
【００１１】
また、請求項１の発明によれば、上端開口の収納部の内部上端縁には、下端を自由端とした返し片を設けたことにより、収納部単体中に収納したコイン等の物品が、帽子本体の着脱操作時や反転使用時に容易に排出されないようにする効果がある。
【００１２】
請求項２の発明によれば、上端開口の収納部をカバーリングするための環状帯体を帽子本体のクラウン下縁外周面に被覆自在に装着したことにより、帽子本体の外観がスマートになり、更には、コイン等が落下することを防ぐことができるという効果がある。また、環状帯体による締め付け効果により、帽子の頭部の寸法との不調和を是正できるという効果がある。
【００１３】
請求項３の発明によれば、上端開口の収納部は、上端開口の帯状の袋体に形成することにより、帽子のクラウン下縁外周面で頭部が緊締され、強風に当たっても着帽姿勢を損なうことが無いという効果がある。また、所定の幅員をもって複数の仕切壁を形成して収納部単体を隣接して設け、しかも収納部単体は、大きさを異なる形状とすることにより、収納物品の識別が指の触感で感知可能であるという効果がある。
【図面の簡単な説明】
【００１４】
【図１】本発明に係る収納部付き帽子の外観を示した図である。
【図２】図１におけるＡ−Ａ断面図である。
【図３】本発明に係る環状帯体を備えた収納部付き帽子の外観を示した図である。
【図４】図３におけるＢ−Ｂ断面図である。
【図５】本発明に係る収納部付き帽子の収納帯体の構造を示した図である。
【図６】本発明に係る収納部付き帽子の他の実施例を示した図である。
【発明を実施するための形態】
【００１５】
この発明の実施例について、図面に基づいて詳細に説明する。
【００１６】
図１は、本発明に係る収納部付き帽子の外観を示した図である。符号１は帽子本体を示す。帽子本体１は、均等に頭部を被覆するクラウン２と、その下端開口縁に設けた環状のつば部３とより構成されている。
【００１７】
本発明の実施例は、かかる帽子本体１のクラウン下縁外周面２ａに収納帯体１０を装着することにより、上端開口の収納部１１を形成するものである。収納帯体１０は、上端開口の帯状の袋体に形成し、その間に所定の大きさの複数の収納部単体１１ａを形成すべく、複数の仕切壁１２を形成している。
【００１８】
また、図２に示すように、収納帯体１０の下端縁は収納帯体折返し縁１０ａとし、帽子本体１のクラウン下端縁２ｂの内側面に当接した帯状の汗取り帯５と、収納帯体折返し縁１０ａとの間にクラウン下端縁２ｂを介設して収納帯体縫合部１０ｂで縫合することにより、収納帯体１０と汗取り帯５とをクラウン２に装着している。
【００１９】
このように、クラウン下端縁２ｂを汗取り帯５と収納帯体折返し縁１０ａとでサンドイッチ状態に縫合することにより、収納帯体縫合部１０ｂが帽子本体１の内側表面に表れず、外観を損ねることが無い。
【００２０】
なお、仕切壁１２は、収納帯体１０をクラウン下縁外周面２ａに縫合することにより形成する縫合部（ミシン目）により構成しても良い。このような縫合部で仕切壁１２を構成することにより、より強固に収納帯体１０をクラウン２に対して固定することも可能となる。
【００２１】
このような仕切壁１２による縫合部についてもクラウン２の内側から汗取り帯５で被覆するよう構成することにより、外観を損なわずに済む。
【００２２】
収納帯体１０は、ゴムや柔らかい生地等の伸縮自在な素材により形成されている。従って、物品（例えば、コイン１００）の収納時には当該物品が飛び出さないように閉じた状態を保つことが可能であり、物品の出し入れの際には、指で容易に開くことが可能である。
【００２３】
収納帯体１０の上端には返し片４の上端を縫合し、収納部１１の内部上端縁１１ｂに、当該返し片４を下方自由端として形成する。なお、当該下方自由端として形成した返し片４の先端部は、収納物品（コイン、紙幣や切符等）の上端部よりもやや上方に位置させることにより、当該納物品の取り出し容易性と、収納部１１からの飛び出し防止性とのバランスを取っている。
【００２４】
すなわち、返し片４は、収納部単体１１ａ中に収納したコイン等の物品が、帽子本体１の着脱操作時や反転使用時に収納部単体１１ａから容易に排出しないようにしている。
【００２５】
以上のように、帽子本体１のクラウン下縁外周面２ａに上端開口の収納部１１を設けたことにより、着帽したままで手を頭部に当てながら、簡単な操作手順でクラウン下縁外周面２ａの収納部１１から物品の出し入れを行うことができる。また、帽子の外観を損なうこともなく、更には着帽時の違和感を感じることも無い。
【００２６】
なお、収納帯体１０において収納部単体１１ａが存在しない部分がある場合は、当該部分に飾り５０を設けて外観の美観を向上させても良い。
【００２７】
図３は、本発明に係る環状帯体を備えた収納部付き帽子の外観を示した図である。
【００２８】
上記実施例で説明した収納部単体１１ａを隣接して形成した収納帯体１０に、外表面をカバーリングするための環状帯体６を被覆自在に設けている。なお、収納部１１については、図３に示すように、各収納部単体１１ａ間に一定の間隔を置いて、それぞれ独立の収納部単体１１ａとして構成しても良い。
【００２９】
環状帯体６はゴムや柔らかい生地等の伸縮自在な素材により形成されている。そして、当該環状帯体６は、図４に示すように、クラウン下端縁２ｂと収納帯体折返し縁１０ａとの間に介設して、クラウン下端縁２ｂの内側面に当接した帯状の汗取り帯５とともに縫合することにより、収納帯体１０、環状帯体６および汗取り帯５をクラウン２に装着している。
【００３０】
当該縫合部におけるクラウン２の内側を汗取り帯５で被覆するとともに、汗取り帯折返し部５ａで内側から縫合することにより、収納帯体縫合部１０ｂが帽子本体１の内側表面に表れず、外観を損なうことが無い。
【００３１】
さらに、仕切壁１２は収納帯体１０をクラウン下縁外周面２ａに縫合することにより形成する縫合部（ミシン目）により構成しても良く、このような縫合部で仕切壁１２を構成することにより、より強固に収納帯体１０および環状帯体６をクラウン２に対して固定することが可能となる。
【００３２】
このような仕切壁１２による縫合部についてもクラウン２の内側から汗取り帯５で被覆するよう構成することにより、外観を損なわずに済む。
【００３３】
また、図４に示すように、環状帯体６の上端縁側は収納帯体１０の上端縁上方にまで伸延し、収納物品（例えば、コイン１００や紙幣１１０）の収納時には、環状帯体６の上端縁側を下方に垂らすことにより、収納帯体１０全体を外側から完全に被覆することを可能としている。
【００３４】
このような構成とすることにより、収納帯体１０の上端開口端を環状帯体６により閉塞して、コイン等の収納物品が帽子の反転使用時にこぼれ落ちないようにすることができ、外観的にも、収納物品により生じる収納部の凹凸を目立たなくすることができる。
【００３５】
環状帯体６には一定の弾性機能を保持させておくことにより、図３（ｂ）に示すように、下部をめくって、収納部単体１１ａの上端開口部からコイン等の収納物品を目視することなく手の感触のみで取り出すことができる。
【００３６】
以上のように、上端開口の収納部１１をカバーリングするための環状帯体６を帽子本体１のクラウン下縁外周面２ａに被覆自在に装着したことにより、帽子本体１の外観がスマートになり、更には、コイン等が落下することを防ぐことができる。また、環状帯体６による締め付け効果により、帽子の頭部の寸法との不調和を是正できる。
【００３７】
図５は本発明に係る収納部付き帽子の収納帯体の構造を示した図であり、図５（ｂ）は収納帯体１０の展開図を示したものである。
【００３８】
本実施例においては、収納部単体１１ａを隣接して形成した収納帯体１０は、図５（ｂ）に示すように上端開口縁を山形に形成して、仕切壁１２の間の収納部単体１１ａの収納容量（収納深さ）を収納帯体１０の中央部から左右の末端側に向けて漸次変化させる。
【００３９】
収納帯体１０をこのような構成とし、例えば、収納深さが最も深い収納部単体１１ａを帽子本体１の前面に位置させ、コイン、折り畳んだ紙幣、切符等の収納物品のそれぞれの直径や幅の大きさを各収納部単体１１ａの収納深さに対応させて順番に収納しておくことにより、着帽したままコイン等を収納部から取り出す際、収納帯体１０の上端開口縁に手で接触するだけで、山形の上端開口縁の傾斜状態に応じて収納部単体１１ａの大きさ（高さ）を手で感知することができ、収納袋に収納したコイン等の種類を察知することが可能となる。すなわち、収納帯体１０の山形の上端開口縁に対する手の触感によって、収納コイン等の種類を感知して、所定のコイン等のつまみ出しを目視することなく行える。
【００４０】
より具体的には、例えば、次のような収納方法が考えられる。まず、山形に形成した収納帯体１０に６つの仕切壁１２を設けることにより、最も深い収納深さを有する収納部単体１１ａを収納帯体１０の中央に１つ形成するとともに、当該中央の収納部単体１１ａの左側および右側に、収納帯体１０の末端側に向けて漸次収納深さを浅くした収納部単体１１ａをそれぞれ３つずつ形成し、４段階の収納深さを有する７つの収納部単体１１ａを設ける。
【００４１】
そして、収納深さが最も深い中央の収納部単体１１ａに、四つ折りにした紙幣を収納する。２番目に深い収納深さを有する２つの収納部単体１１ａに、１，２番目に大きな直径を有する硬貨（５００円硬貨および１０円硬貨）を収納する。５００円硬貨を収納した収納部単体１１ａの隣に位置する３番目に深い収納深さを有する収納部単体１１ａに、３番目に大きな直径を有する硬貨（１００円硬貨）を収納する。１０円硬貨を収納した収納部単体１１ａの隣に位置するもう１つの３番目に深い収納深さを有する収納部単体１１ａに、４番目に大きな直径を有する硬貨（５円硬貨）を収納する。１００円硬貨を収納した収納部単体１１ａの隣に位置する最も浅い収納深さを有する収納部単体１１ａに、５番目に大きな直径を有する硬貨（５０円硬貨）を収納する。そして、５円硬貨を収納した収納部単体１１ａの隣に位置するもう一つの最も浅い収納深さを有する収納部単体１１ａに、最も小さい直径を有する硬貨（１円硬貨）を収納する。
【００４２】
このように、収納部単体１１ａの収納容量（収納深さ）を変化させて大きさを異なる形状とし、それぞれの収納容量に合わせて収納物品の収納場所を適宜設定しておくことにより、収納物品の識別を指の触感で感知可能とすることができる。
【００４３】
図６は、本発明による収納部付き帽子の他の実施例を示した図である。
【００４４】
本実施例では、収納容量を変化させて大きさの異なる形状とした複数の収納ポケット２０を帽子本体１のクラウン下縁外周面２ａに設けている。
【００４５】
このような構成とすることにより、収納物品の識別を指の触感で感知することが可能となる。
【００４６】
なお、上述した実施例の説明は本発明の一例であり、本発明は上述の実施例に限定されることはない。このため、上述した実施例以外であっても、本発明に係る技術的思想を逸脱しない範囲であれば、設計等に応じて種々の変更が可能であることはもちろんである。
【００４７】
例えば、本実施例では環状のつば部３を有する帽子として説明を行ったが、必ずしも帽子本体１の周縁部全体につば部３を設ける必要は無く、帽子本体１のクラウン下縁外周面２ａに収納部１１を安定して固定可能な構造であれば良い。
【００４８】
また、各種硬貨の収納方法についても上述の実施例に限定されることなく、使用状況に応じて、適宜設定することが可能である。
【符号の説明】
【００４９】
１  帽子本体
２  クラウン
２ａ  クラウン下縁外周面
４  返し片
６  環状帯体
１１  収納部
１１ａ  収納部単体
１１ｂ  内部上端縁
１２  仕切壁
【図１】
0005926012.tif 000002
【図２】
0005926012.tif 000003
【図３】
0005926012.tif 000004
【図４】
0005926012.tif 000005
【図５】
0005926012.tif 000006
【図６】
0005926012.tif 000007